(57)【要約】　　　（修正有）【課題】シンプルで低コスト、部品点数を抑えた額用パネルで、ホワイトボードや小物掛けにもなる多機能な多目的パネル及びネジ付ピンを提供する。【解決手段】フッフ穴付透明パネル１と保護用透明パネル２の間に紙体を挟み込めるようにし、２枚の樹脂パネルの四隅に固定穴をもうけ、その固定穴に挿入し固定するネジ付ピン５を有し壁に固定出来るようにする。又フッフ穴付透明パネル本体１と保護用透明パネル２の間に白の台紙３を挟みホワイトボードとし使用したり、フッフ穴付透明パネル本体１と保護用透明パネル２の前後を入れ替えフッフ穴付透明パネル１の穴９にフックを差し小物掛けとしても使えることを特長とする。【選択図】　図１
2004042588.tif 000002
【特許請求の範囲】
【請求項１】
２枚の樹脂パネルの間に紙体を挟み込めるようにし、２枚の樹脂パネルの四隅に固定穴をもうけ、その固定穴に挿入し固定するネジ付ピンを有し壁に固定出来るようにした事を特徴とする多目的パネル及びネジ付ピン。
【請求項２】
２枚の樹脂パネルを壁から浮かせた事を特徴とする請求項１記載の多目的パネル及びネジ付ピン。
【請求項３】
２枚の樹脂パネルの間に白の台紙を挟みホワイトボードとして使用したり、２枚の樹脂パネルの前後を入れ替えパネルの中央の設けられた穴にフックをさし小物掛けとしても使える事を特徴とする請求項１記載の多目的パネル及びネジ付ピン。
【請求項４】
ねじの先端にピンを取り付けたことを特徴とする請求項１記載のパネルに用いるネジ付ピン。
【発明の詳細な説明】
【０００１】
【発明が属する技術分野】
この発明は、２枚の樹脂パネルの間に紙体を挟み、ネジ付ピンをパネルの四隅にある固定穴に挿入し固定し壁に止め額として使用したり、２枚の樹脂パネルの間に白の台紙を挟みホワイトボードとして使用したり、パネルの前後を入れ替えパネルの中央に設けられた穴にフックをさし小物掛けとしても使える、多目的パネル及びネジ付ピンに関するもの。
【０００２】
【従来の技術】
絵などを飾る額はフレームにガラス、台紙、パット、裏板の順に乗せ裏板を固定し、フレームの裏に紐を通す金具を取り付け紐を通し結ぶ、次に吊り金具を釘で壁に打ち付け固定し、額に付いた紐を吊り金具に引っ掛け飾るものである。
【０００３】
【発明が解決しようとする課題】
（イ）絵などを飾る額はフレーム、ガラス、台紙、パット、裏板、裏板止金具、吊り金具、釘、紐などホワイトボードは白のボード、フレーム、吊り金具、釘、紐など沢山の部品で構成されコストがかかり処理も不便である。
（ロ）額を吊るため釘を打ち付けるので壁に穴があく。
（ハ）紐で吊り下げ飾るので触るとずれたり、地震ではずれたり危険である。
（ニ）壁に接触して飾るので長く掛け続けると、タバコの煙り、ホコリ、日焼けなどで壁に白く跡が残る。
（ホ）フレームは固定されており取り換えれない、又厚みのある物を挟み飾れない。
【０００４】
【課題を解決するための手段】
この発明は、これらの欠点を除くもので２枚の樹脂パネル、フッフ穴付透明パネル１と保護用透明パネル２の間に紙体を挟み込めるようにし、２枚の樹脂パネルの四隅に固定穴をもうけ、その固定穴に挿入し固定するネジ付ピン５を有し壁に固定出来るようにした多目的パネル及びネジ付ピンである。
【０００５】
この発明のネジ付ピン５は、プラスチック樹脂でできたネジの先端にピン１０を付けたものでパネルのネジ付ピンさし込み固定穴６に４ケ所通しナット７で固定し壁にピンの先１０をさして止める、そのとき壁とパネルの間にネジの長さの隙間Ａが出来る。
【０００６】
【発明の実施の形態】
以下、この発明の実施形態について図面に基づいて説明する。図１、図３、図４は、この発明の実施形態を示すもので、この実施形態のフッフ穴付き透明パネル１と保護用透明パネル２はプラスチック樹脂（塩化ビニール樹脂、アクリル樹脂）で形成され、フッフ穴付透明パネル２の中央に透明プラスチック樹脂で形成されたフック８をさす穴９が設けられいる。
【０００７】
ネジ付ピン５は透明なプラスチック樹脂で形成されておりネジの先端にピンが埋め込まれている、このネジ付ピン５をネジ付ピンさし込み固定穴６に通し透明なプラスチック樹脂で形成されたナット７でパネルを固定する。
【０００８】
台紙３は厚紙で形成され、台紙表３ａのフチ全体に額縁のかわりと成る色の帯と用紙アタリ用トンボ４が印刷されている、台紙裏３ｂは白地でホワイトボード用に使用する。
【０００９】
ネジ付ピン５を上２ケ所だけで付け、下２ケ所はピンのないネジ１１を使用して止めても良い。
【００１０】
ネジ付ピンはネジの長さの短いものもあり、壁からあまり浮かせない使用法もあるものとする。
【００１１】
フック穴付き透明パネル１、ネジ付ピン５、ナット７、フック８は透明又は不透明な色のついたプラスチック樹脂で形成されたものでも良い。
【００１２】
この実施形態の多目的パネル及びネジ付ピンの使用法について説明する。まず額として使う場合、台紙の表３ａの上にフッフ穴付透明パネル本体１を重ねる、飾りたい絵の裏に両面テープを貼り、透けて見える台紙３ａの用紙アタリトンボ４に絵の角を合わせ絵を貼付け、台紙は取り除く。次に保護用透明パネル２を重ねネジ付ピン５を４本、ネジ付ピンさし込み固定穴６に通しナット７で固定し、ネジ付ピン５の頭を４ケ所を壁に向って指で押さえ固定する。
尚、パネルの間に、台紙３ａを挟み額縁として使用したり、カラーペーパーの四隅に穴をあけ挟んでも良い。
【００１３】
ホワイトボードとして使う場合、フック穴付透明パネル１の上に台紙３ｂを表にし重ね、その上に保護用透明パネル２を重ねる。ネジ付ピン５を４本ネジ付ピンさし込み固定穴６に通しナット７で固定し、ネジ付ピン５の頭を壁に向って指で押さえ止める。
尚、パネルの間に台紙３ａを挟んだりカラーペーパーの四隅に穴をあけ挟んでも良い。
【００１４】
小物掛けとして使用する場合、保護用透明パネル２の上にフック穴付き透明パネル１を重ね、ネジ付ピン５を４本、ネジ付ピンさし込み固定穴６に通し、ナットで固定しネジ付ピン５の頭を４ケ所を壁に向って指で押さえ固定する。尚、パネルの間に台紙３ａを表にし挟んだりカラーペーパーの四隅に穴をあけ挟んでも良い。
【００１５】
ピンのないネジ１１を使えば画板、下敷、プラモデルの台としても使用できる。
【発明の効果】
（イ）この多目的パネル及びネジ付ピンは、プラスチック樹脂で出来た２枚のパネル、ネジ付ピン、ネジ、台紙の紙だけで構成されておりコストが安く作れ、軽くシンプルな構造で、ゴミも少なくなり分別も楽になる。
（ロ）ネジ付ピンで四ケ所を固定して壁に止める為、紐、釘、吊り金具は不要である、又触っても動かずドアなどの開閉部でも使用でき、地震など大きな揺れでも動かず外れにくい。
（ハ）壁とパネルの間に図２に示すようなネジの長さの隙間Ａが有り、パネルが壁から離れて固定されている為タバコの煙、ホコリ、日光がパネルの裏側に回り込む為、壁に白く跡が残るのを軽減出来る。
（ニ）フレームが無くパネルをネジ付ピンとナットで挟んで止めるのでナットの調整で四隅に穴をあけた厚みのあるコルク板、ダンボールなども挟める。又パソコンで写真、イラスト、額縁などを描き四隅に穴をあけパネルに挟み込めばオリジナルの額、ホワイトボード、小物掛けが作れる。
【図面の簡単な説明】
【図１】多目的パネル及びネジ付ピンの額使用の斜視図である。
【図２】多目的パネル及びネジ付ピンの側面図である。
【図３】多目的パネル及びネジ付ピンのホワイトボード使用の斜視図である。
【図４】多目的パネル及びネジ付ピンの小物掛け用の斜視図である。
【符号の説明】
１　フック穴付き透明パネル
２　保護用透明パネル
３ａ台紙表
３ｂ台紙裏
４　用紙アタリ用トンボ
５　ネジ付ピン
６　ネジ付ピンさし込み固定穴
７　ナット
８　フック
９　フック穴
１０　ピン
１１　ネジ
【図１】
2004042588.tif 000003
【図２】
2004042588.tif 000004
【図３】
2004042588.tif 000005
【図４】
2004042588.tif 000006